(57)【要約】【課題】本発明は、中芯を容易に交換できるようにしたボールペンを提供する。【解決手段】本発明は、軸筒２内で軸線Ｌ方向に移動自在な中芯を有するボールペン１において、後端２ｃに達するまで軸線方向に延在する中芯交換用スリット３０が形成された軸筒２と、軸筒２内に挿入されて中芯３を保持する中芯ホルダ６と、を備え、中芯ホルダ６は、中芯３を保持するホルダ本体部１０と、中芯交換用スリット３０の前方で軸筒２に形成された窓部１３から突出して、窓部１３内で係止させられるスライド部１２と、を有し、窓部１３は、中芯交換用スリット３０に連通している。中芯交換時に、スライド部１２の操作部２０に掛けられた指を外すことなく、操作部２０を中芯交換用スリット３０に沿って移動させるだけで、中芯ホルダ６及び中芯３を軸筒２から抜き出すことができるので、中芯３をスムーズにしかも容易に交換することができる。【選択図】図１
2011194829.tif 000002
【特許請求の範囲】
【請求項１】
軸筒内で軸線方向に移動自在な中芯を有するボールペンにおいて、
後端に達するまで前記軸線方向に延在する中芯交換用スリットが形成された前記軸筒と、
前記軸筒内に挿入されて前記中芯を保持する中芯ホルダと、を備え、
前記中芯ホルダは、
前記中芯を保持するホルダ本体部と、
前記中芯交換用スリットの前方で前記軸筒に形成された窓部から突出して、前記窓部内で係止させられるスライド部と、を有し、
前記窓部は、前記中芯交換用スリットに連通していることを特徴とするボールペン。
【請求項２】
前記スライド部は、前記軸筒の径方向に付勢されており、前記スライド部には、前記軸筒の径方向に前記スライド部を移動させることによって前記中芯交換用スリットの前端と位置合わせがなされるスリット挿入部が、前後方向に延在して形成されていることを特徴とする請求項１記載のボールペン。
【請求項３】
前記中芯交換用スリットの幅は、前記スライド部の前記スリット挿入部の幅より狭いことを特徴とする請求項２記載のボールペン。
【請求項４】
前記中芯交換用スリットの後端には、後方に向かって広がるような挿入口が設けられていることを特徴とする請求項２又は３に記載のボールペン。
【請求項５】
前記スライド部の前記スリット挿入部の先端には、前方に向かって狭まるような案内部が設けられていることを特徴とする請求項２〜４の何れか一項に記載のボールペン。
【発明の詳細な説明】
【技術分野】
【０００１】
本発明は、軸筒内で軸線方向に移動自在な中芯を有するボールペンに関するものである。
【背景技術】
【０００２】
従来、このような分野の技術として、特開２００１−３０１３８２号公報がある。この公報に記載された筆記具は、ノック式のボールペンであり、ノック棒を押すことで中芯が筆記具の先端から突出し、クリップを押すことで中芯が筆記具内に格納される。更に、ノック棒には、Ｕ字状のスリットによって形成された弾性舌片が設けられ、この弾性舌片に設けられた突起は、軸筒に形成された長窓から突出させられ、ノック棒の移動に伴って、突起は長窓内を移動する。そして、中芯を交換する場合、この突起を指で一旦、押し下げておき、ノック棒を後に引き抜くようにして、ノック棒と一緒に中芯を軸筒から抜き出す。
【先行技術文献】
【特許文献】
【０００３】
【特許文献１】特開２００１−３０１３８２号公報
【発明の概要】
【発明が解決しようとする課題】
【０００４】
しかしながら、前述した従来のボールペンでは、中芯を交換する際に、弾性舌片の突起を片手の指で押し下げながら、他方の手の指でノック棒を摘んだ状態で引き抜かなければならないので、中芯の交換作業が繁雑になってしまうといった問題点がある。
【０００５】
本発明は、中芯を容易に交換できるようにしたボールペンを提供することを目的とする。
【課題を解決するための手段】
【０００６】
本発明は、軸筒内で軸線方向に移動自在な中芯を有するボールペンにおいて、
後端に達するまで軸線方向に延在する中芯交換用スリットが形成された軸筒と、
軸筒内に挿入されて中芯を保持する中芯ホルダと、を備え、
中芯ホルダは、
中芯を保持するホルダ本体部と、
中芯交換用スリットの前方で軸筒に形成された窓部から突出して、窓部内で係止させられるスライド部と、を有し、
窓部は、中芯交換用スリットに連通していることを特徴とする。
【０００７】
このボールペンは、軸筒内に挿入された中芯ホルダを軸線方向に移動させることで、中芯を筆記可能状態と格納状態にすることができる。中芯交換用スリットが軸筒の後端に達するまで延在しているので、スライド部を窓部から中芯交換用スリットに沿って後方に移動させ続け、そのままスライド部を後退させ続けると、中芯ホルダと一緒に中芯を軸筒の後端から抜き出すことができる。このように、中芯交換時に、スライド部に掛けられた指を外すことなく、スライド部を中芯交換用スリットに沿って移動させるだけで、中芯ホルダ及び中芯を軸筒から抜き出すことができるので、中芯をスムーズにしかも容易に交換することができる。
【０００８】
また、スライド部は、軸筒の径方向に付勢されており、スライド部には、軸筒の径方向にスライド部を移動させることによって中芯交換用スリットの前端と位置合わせがなされるスリット挿入部が、前後方向に延在して形成されていると好適である。
このような構成を採用すると、スライド部を軸筒の径方向に移動させて後退させる動作によって、スライド部のスリット挿入部を中芯交換用スリット内に挿入させることができるので、中芯交換時でもないのに、スライド部が不用意に中芯交換用スリットに沿って移動して、軸筒の後端から抜け出てしまうことがない。
【０００９】
また、中芯交換用スリットの幅は、スライド部のスリット挿入部の幅より狭いと好適である。
このような構成を採用すると、スリット挿入部を、中芯交換用スリット内で抵抗感をもって移動させることができので、力余って、軸筒の後端から中芯ホルダが中芯と一緒に勢い良く飛び出してしまうような事態を回避させることができる。
【００１０】
また、中芯交換用スリットの後端には、後方に向かって広がるような挿入口が設けられていると好適である。
このような構成を採用すると、スライド部のスリット挿入部を中芯交換用スリット内に軸筒の後端から挿入し易く、中芯を更にスムーズにしかも容易に交換することができる。特に、中芯交換用スリットの幅が、スリット挿入部の幅より狭く、スリットの幅を押し広げながらスリット挿入部を中芯交換用スリット内に挿入する場合に最適である。
【００１１】
また、スライド部のスリット挿入部の先端には、前方に向かって狭まるような案内部が設けられていると好適である。
このような構成を採用すると、中芯交換後に、スライド部のスリット挿入部をスリット内に挿入し易く、中芯を更にスムーズにしかも容易に交換することができる。特に、中芯交換用スリットの幅が、スライド部のスリット挿入部の幅より狭く、スリットの幅を押し広げながらスリット挿入部を中芯交換用スリット内に挿入する場合に最適である。
【発明の効果】
【００１２】
本発明によれば、中芯を容易に交換することができる。
【図面の簡単な説明】
【００１３】
【図１】本発明に係るボールペンの一実施形態を示す分解斜視図である。
【図２】本発明に係るボールペンの軸筒の平面図である。
【図３】本発明に係るボールペンの軸筒の正面図である。
【図４】図３のＩＶ−ＩＶ線に沿う断面図である。
【図５】本発明に係るボールペンの縦断面図である。
【図６】中芯ホルダを示す正面図である。
【図７】図６のＶII−ＶII線に沿う断面図である。
【図８】筆記状態のボールペンを示す縦断面図である。
【図９】中芯交換のために軸筒から中芯ホルダを引き抜いた状態を示す断面図である。
【図１０】中芯交換用スリット内にスリット挿入部が挿入された状態を示す横断面図である。
【図１１】中芯交換用スリットの後端からスリット挿入部を挿入する状態を示す断面図である。
【発明を実施するための形態】
【００１４】
以下、図面を参照しつつ本発明に係るボールペンの好適な実施形態について詳細に説明する。なお、ペン先側を「前方側」として以下説明する。
【００１５】
図１〜図４に示すように、ボールペン１は、樹脂(例えばポリプロピレン)製の軸筒２を有し、この軸筒２内には、中芯挿入孔２ａが形成され、軸筒２内に装填された中芯３は、交換可能になっている。さらに、軸筒２の前半部分は外径を断面６角形に成形され、筆記時に握り易く、机の上などで転がり難くなっている。更に、軸筒２の後部には、クリップ４が一体に成形されている。
【００１６】
軸筒２の中芯挿入孔２ａは、軸筒２の前端から後端に渡って延在し、中芯挿入孔２ａ内には、軸筒２の後端２ｃの開口部２ｂから樹脂(例えばポリアセタール)製の中芯ホルダ６が挿入される。この中芯ホルダ６内に中芯３が後端側から差し込まれ、中芯３の後端部は、中芯ホルダ６によって保持される。
【００１７】
図１、図５及び図６に示すように、中芯ホルダ６の後端部には、中芯３の後端部の保持と、中芯３の抜き差しを可能にする中芯装着部７が設けられ、中芯ホルダ６の前端部には、前側筒部８に一体成形された螺旋コイルばね５が設けられている。そして、中芯装着部７と前側筒部８は、弾性復元力を有して軸線Ｌ方向に延在する連結片９によって連結され、中芯装着部７と前側筒部８と連結片９とでホルダ本体部１０が構成されている。
【００１８】
このホルダ本体部１０と螺旋コイルばね５は、樹脂によって一体成形されている。これによって、部品点数の簡素化を図ることができ、その結果として、コスト低減が可能になる。
【００１９】
さらに、ホルダ本体部１０に連結片９を採用することで、中芯ホルダ６の軽量化を可能にし、連結片９が弾性を有しているので、中芯ホルダ６に多少の反りが発生しても、中芯ホルダ６を中芯挿入孔２ａ内でスムーズ且つ確実に軸線Ｌに沿って移動させることができる。
【００２０】
中芯装着部７は、中芯３の差込みを可能にした有底の中芯差込み孔７ａを有する後側筒部７ｂと、後側筒部７ｂ内で中芯差込み孔７ａを狭めるように突出した三角柱形状の中芯押さえ凸部７ｃと、を有する。中芯押さえ凸部７ｃの頂部は、軸線Ｌに対して直交して延在すると共に、中芯３に対する線接触を可能にしている。従って、中芯３の確実な保持が可能になり、交換時に中芯３の抜き差しも行い易い。
【００２１】
さらに、中芯ホルダ６は、先端がホルダ本体部１０の前側筒部８に固定された弾性アーム部１１を有している。このアーム部１１は、連結片９に対向して延在すると共に、軸筒２内で軸線Ｌ方向に延在して、軸筒２の径方向で外方に向かう付勢力を有している。このアーム部１１の遊端には、軸筒２の径方向に突出してなるスライド部１２が形成されている。
【００２２】
このスライド部１２は、軸筒２に形成されたスリット１３から外方に突出し、このスリット１３は、軸線Ｌ方向に延在する。そして、スリット１３には、幅が広げられた矩形の拡張部１４，１５が前後に２個設けられている(図３参照)。
【００２３】
図６及び図７に示すように、スライド部１２の側面１２ａには、スライド部１２の幅を拡幅してなる係止凸部１７が設けられ、この係止凸部１７は、スリット１３の拡張部１４，１５内に軸筒２の内側から入り込む。
【００２４】
スライド部１２の頂部には、拡幅された操作部２０が形成され、スライド部１２の底部には、係止凸部１７と同じ幅でスライド部１２の長手方向に延在する抜け止め部２１が形成されている。そして、この抜け止め部２１には、係止凸部１７が操作部２０に向けて突出する。台形状を有する係止凸部１７において、前側には、傾斜面１７ａが形成され、後側には、軸線Ｌに対して略直交する係止面１７ｂが形成されている。
【００２５】
傾斜面１７ａによって、スリット１３の拡張部１５からスライド部１２が前進する際に、スライド部１２が軸筒２内に沈み込み易くなる。拡張部１４から突出したスライド部１２の係止凸部１７は、係止面１７ｂがスリット１３の拡張部１４の壁面に当接することで確実に係止させられる。
【００２６】
図５及び図８に示すように、螺旋コイルばね５の先端は、中芯３が筆記状態のときに、軸筒２内で段部として形成されたばね当て部２ｄに押圧され(図８参照)、中芯３が格納状態のときに、軸筒２内のばね当て部２ｄから離間する(図５参照)。螺旋ばね５の自由長は、このような状態を作り出す長さに設定されている。具体的には、図８に示すように、螺旋コイルばね５の自由長は、筆記時における前側筒部８の前端とばね当て部２ｄとの距離より少し長く設定されている。
【００２７】
このような構成を採用すると、中芯３が筆記状態(図８参照)の時には、螺旋コイルばね５のばね力を作用させることができるので、筆記時に中芯３が軸筒２内でガタ付くことがなく、使用時の不快感を無くすことができる。さらに、中芯３が格納状態(図５参照)になっている時は、螺旋コイルばね５には、負荷がかかっていないので、樹脂からなる螺旋コイルばね５がへたり難くなり、螺旋コイルばね５を樹脂で成形しても、当初のばね力を長く維持することができる。
【００２８】
このように、中芯ホルダ６は、螺旋コイルばね５の弾発力を利用して後退させているのではなく、手動によって中芯ホルダ６は、後退させられ、中芯３が格納状態(図５参照)では、螺旋コイルばね５は常に無負荷状態になっている。
【００２９】
前述したボールペン１の操作について簡単に説明する。
【００３０】
図５に示すように、中芯３が格納状態になっている時は、スライド部１２の後端１２ｂが、スリット１３の後端１３ａに当接し、アーム部１１の弾性力により、後側の拡張部１５からスライド部１２の係止凸部１７が突出する。この状態では、操作部２０を押さない限り、中芯３が筆記可能状態になることがない。
【００３１】
この状態から操作部２０を指で押し下げて、スリット１３に沿ってスライド部１２を前に移動させる。このとき、傾斜面１７ａが拡張部１５の前側の壁面に当たりながら、スライド部１２は沈んでいく。
【００３２】
操作部２０を更に前進させ続けると、係止凸部１７は軸筒２内に完全に潜り込み、その後、図８に示すように、指を操作部２０から離すと、係止凸部１７は、アーム部１１の弾性力によって前側の拡張部１４から突出する。そして、螺旋コイルばね５のばね力によって、係止面１７ｂがスリット１３の拡張部１４の壁面に押し付けられる。これによって、筆記時に中芯３の後退が規制され、筆圧により中芯３が後退することはない。
【００３３】
(中芯交換構造)
図３に示すように、軸筒２には、スリット(窓部)１３の後端１３ａから軸筒２の後端２ｃまで延在する中芯交換用スリット３０が設けられている。スリット１３と中芯交換用スリット３０とは連通させられ、中芯交換用スリット３０の幅は、スリット１３の幅より狭くなっている。そして、中芯交換用スリット３０の幅は、スライド部１２の幅より狭くなっているので、スリット１３の後端１３ａはスライド部１２の後端１２ｂに当接され、スライド部１２の係止状態が維持される。
【００３４】
図７、図９及び図１０に示すように、スライド部１２には、中芯交換用スリット３０内に挿入されるスリット挿入部３１が、操作部２０と係止凸部１７との間において、操作部２０の底面２０ａに沿って前後方向に延在して形成されている。そして、スリット挿入部３１の幅は、中芯交換用スリット３０の幅より僅かに小さくなっている。従って、操作部２０を押して後退させない限り、スライド部１２が中芯交換用スリット３０内に簡単に入ることがなく、中芯交換時でもないのに、スライド部１２が不用意に中芯交換用スリット３０に沿って移動して、軸筒２の後端２ｃから抜け出てしまうことがない。
【００３５】
また、図３及び図１１に示すように、中芯交換用スリット３０の幅Ｗ１は、スリット挿入部３１の幅Ｗ２より狭くなっている。このような構成を採用すると、スリット挿入部３１を、中芯交換用スリット３０内で抵抗感をもって移動させることができるので、力余って、軸筒２の後端２ｃから中芯ホルダ６が中芯３と一緒に勢い良く飛び出してしまうような事態を回避させることができる。
【００３６】
また、中芯交換用スリット３０の後端には、後方に向かって広がるような挿入口３０ａが設けられ、この挿入口３０ａの開き角度は、約３０度になっている。このような構成を採用すると、スリット挿入部３１を中芯交換用スリット３０内に軸筒２の後端２ｃから挿入し易く、中芯３を更にスムーズにしかも容易に交換することができる。特に、中芯交換用スリット３０の幅Ｗ１が、スライド部１２のスリット挿入部３１の幅Ｗ２より狭く、中芯交換用スリット３０の幅Ｗ１を押し広げながらスリット挿入部３１を中芯交換用スリット３０内に挿入する場合に最適である。
【００３７】
また、スリット挿入部３１の先端には、前方に向かって狭まるような案内部３１ａが設けられ、この案内部３１ａは、挿入口３０ａの開き角度と同じ角度で形成されている。このような構成を採用すると、スリット挿入部３１を中芯交換用スリット３０内に軸筒２の後端２ｃから挿入し易く、中芯３を更にスムーズにしかも容易に交換することができる。特に、中芯交換用スリット３０の幅Ｗ１が、スライド部１２のスリット挿入部３１の幅Ｗ２より狭く、中芯交換用スリット３０の幅Ｗ１を押し広げながらスリット挿入部３１を中芯交換用スリット３０内に挿入する場合に最適である。
【００３８】
図９及び図１０に示すように、新しい中芯３に交換する場合、アーム部１１のばね力に抗して、指で操作部２０の底面２０ａが軸筒２に当たるまで押して、スライド部１２を軸筒２の径方向に移動させる。この状態でスリット挿入部３１の後端と中芯交換用スリット３０の前端との位置合わせがなされる。そして、そのまま操作部２０を指で後退させると、スリット挿入部３１が中芯交換用スリット３０内に挿入され、操作部２０を後退させ続けることで、軸筒２の後端２ｃの開口部２ｂから中芯３と一緒に中芯ホルダ６を抜き出すことができる。
【００３９】
このようなボールペン１は、中芯交換用スリット３０が軸筒２の後端２ｃに達するまで延在しているので、スライド部１２を窓部(スリット)１３から中芯交換用スリット３０に沿って後方に移動させ続け、そのままスライド部１２を後退させ続けると、中芯ホルダ６と一緒に中芯３を軸筒２の後端２ｃから抜き出すことができる。このように、中芯交換時に、スライド部１２の操作部２０に掛けられた指を外すことなく、操作部２０を中芯交換用スリット３０に沿って移動させるだけで、中芯ホルダ６及び中芯３を軸筒２から抜き出すことができるので、中芯３をスムーズにしかも容易に交換することができる。
【符号の説明】
【００４０】
１…ボールペン、２…軸筒、２ｃ…軸筒の後端、３…中芯、５…螺旋コイルばね、６…中芯ホルダ、１０…ホルダ本体部、１１…アーム部、１２…スライド部、１２ａ…スライド部の側面、１３…窓部(スリット)、１３ａ…スリットの後端、１４，１５…拡張部、１７…係止凸部、２０…操作部、３０…中芯交換用スリット、３０ａ…挿入口、３１…スリット挿入部、３１ａ…案内部、Ｌ…軸線、Ｗ１，Ｗ２…幅。
【図１】
2011194829.tif 000003
【図２】
2011194829.tif 000004
【図３】
2011194829.tif 000005
【図４】
2011194829.tif 000006
【図５】
2011194829.tif 000007
【図６】
2011194829.tif 000008
【図７】
2011194829.tif 000009
【図８】
2011194829.tif 000010
【図９】
2011194829.tif 000011
【図１０】
2011194829.tif 000012
【図１１】
2011194829.tif 000013